(57)【特許請求の範囲】
【請求項１】
本体ケースと、
該本体ケースの内部に設けられる電動送風機と、
該電動送風機に電力を供給する電源コードと、
前記本体ケースの内部に設けられ、前記電源コードを収納するコードリールと、
前記電源コードを前記コードリールに収納させる収納指示を行うリールボタンと、を備え、
前記リールボタンは、本体の後部下側から被清掃面に対して水平方向に突出するように前記本体に軸支され、
前記コードリールは、
前記電源コードの収納を阻止し該電源コードが前記本体から引き出された状態を保持する保持部と、
該保持部の保持状態を解除する解除部と、を有し、
前記リールボタンと前記解除部の間には、前記リールボタンの下方向への変位に連動して前記収納指示が行われるように前記解除部を動作させる連動部が設けられ、
前記リールボタンは、軸支された位置を中心に前記水平方向に対して上下方向に回転動作が可能に構成され、下方向に押圧された場合には前記連動部と係合され、上方向に押し上げられた場合には前記連動部との係合が解除されるように構成されてなる電気掃除機。
【請求項２】
前記本体の後部には、前記電源コードが前記本体へ出入りする出入り口が開口し、前記出入り口の開口中心と前記リールボタンの左右幅中心は、左側又は右側にずれていることを特徴とする請求項１に記載の電気掃除機。
【請求項３】
前記リールボタンの下面には、軟質部材が設けられていることを特徴とする請求項１又は請求項２に記載の電気掃除機。
【請求項４】
前記本体には被清掃面を転動する車輪が取り付けられ、前記リールボタンは前記本体に軸支され、前記リールボタンの前記本体への軸支位置は、前記車輪と被清掃面とが接触する位置の上方となることを特徴とする請求項１から請求項３の何れか１項に記載の電気掃除機。
【請求項５】
前記リールボタンには、指により操作する部位を形成したことを特徴とする請求項１から請求項４の何れか１項に記載の電気掃除機。
【発明の詳細な説明】
【技術分野】
【０００１】
本発明は、電源コードを収納するコードリールを有する電気掃除機に関する。
【背景技術】
【０００２】
従来から、電動送風機や各種制御部などの電気部品と、これらの電気部品に電力を供給する電源コードと、この電源コードを巻取って収納するコードリールと、このコードリールを巻取り動作させる収納操作部となる操作ボタンを有する電気掃除機がある。
このような電気掃除機は、電気掃除機本体（以下、本体）の外部へとから電源コードが引き出された状態において、使用者が本体の上面に設けられた操作ボタンを押圧することにより、コードリールが動作して、電源コートがコードリールに巻き取られて本体内部に収納される（例えば、特許文献１参照）。
【先行技術文献】
【特許文献】
【０００３】
【特許文献１】特開平８−１６８４５７号公報（図２）
【発明の概要】
【発明が解決しようとする課題】
【０００４】
しかしながら、このような電気掃除機は、電源コードを本体内部に収納するには、使用者が、被清掃面上に位置する本体の収納操作部を操作するために、腰をかがめたり、しゃがんだりする必要がある。
この為、清掃する場所が複数個所ある場合、電気掃除機を移動させるために電源コードを収納させる都度、上記の動作を繰り返すことになり、使用者の体に負担となる場合がある。
【０００５】
本発明は、上記の課題を解決するためになされたもので、使用者が腰をかがめることなく電源コードの収納を行うことができる電気掃除機を提供することを目的とする。
【課題を解決するための手段】
【０００６】
上記の課題を解決する為には、電気掃除機は、本体ケースと、この本体ケースの内部に設けられる電動送風機と、この電動送風機に電力を供給する電源コードと、本体ケースの内部に設けられ、電源コードを収納するコードリールと、電源コードをコードリールに収納させる収納指示を行うリールボタンと、を備え、このリールボタンは、本体の後部下側から被清掃面に対して水平方向に突出するように本体に軸支され、コードリールは、電源コードの収納を阻止し該電源コードが本体から引き出された状態を保持する保持部と、該保持部の保持状態を解除する解除部と、を有し、リールボタンと解除部の間には、リールボタンの下方向への変位に連動して収納指示が行われるように解除部を動作させる連動部が設けられ、リールボタンは、軸支された位置を中心に水平方向に対して上下方向に回転動作が可能に構成され、下方向に押圧された場合には連動部と係合され、上方向に押し上げられた場合には連動部との係合が解除されるように構成されてなる。
【発明の効果】
【０００７】
本発明によれば、電気掃除機の電源コードを収納する際に、使用者が腰をかがめたり膝を曲げたりして、姿勢を低くすることなく電源コードの収納を行うことができる
【図面の簡単な説明】
【０００８】
【図１】電気掃除機本体の平面図（（ａ）左側面図、（ｂ）上面図、（ｃ）下面図）
【図２】図１で示す本体１０のＸ−Ｘ断面図
【図３】図１で示す本体１０のＹ−Ｙ断面図
【図４】本体１０の背面図
【図５】図４（ｂ）の斜視図
【図６】図４（ｂ）のＺ−Ｚ断面図
【図７】図６の要部断面図
【図８】図６の断面図において、リールボタン１７が操作された状態を示す断面図
【図９】図６の断面図において、リールボタン１７が下方向から押された状態を示す断面図
【発明を実施するための形態】
【０００９】
以下、図面を参照して実施の形態について説明する。
図１は、電気掃除機本体（以下、本体１０）を示す平面図であり、（ａ）左側面図、（ｂ）上面図、（ｃ）下面図である。図２は、図１で示す本体１０のＸ−Ｘ断面図である。図３は、図１で示す本体１０のＹ−Ｙ断面図である。図４（ａ）は本体１０の背面図であり、図４（ｂ）は本体１０から上ケース１１と内部部品の一部を外した状態の背面図である。図５は、図４（ｂ）の斜視図である。図６は、図４（ｂ）のＺ−Ｚ断面図である。図７は、図６の要部断面図である。
【００１０】
図１〜図７を参照すると、本体１０の外郭は、上ケース１１と下ケースと１２と蓋体１３とハンドル１４と前車輪１５と後車輪１６とリールボタン１７を有して構成される。
上ケース１１は、本体１０の上部外郭を構成するものであり、後部の内部には、後述する連動部３０を上下に動作可能に支持する下方向に開口する凹部１１ａが形成されている（図６参照）。
【００１１】
下ケース１２は、本体１０の下部外郭を構成するものであり、後部の内部から下方向に貫通する開口１２ｃが形成されている。この開口１２ｃは、第１の開口１２ｄと第２の開口１２ｅが上下に連なる形状であり、第１の開口１２ｄの開口直径Ｒ１は、第２の開口１２ｅの開口直径Ｒ２より、大きく構成されている（図６参照）。また、下ケース１２の後部下面１２ｕは、本体１０の内方に向かって凹んだ外形状となっている。
尚、第１の開口１２ｄを形成する部位は、下ケース１２から立設したリブにより構成してもよい。この場合、対向するリブの間隔がＲ１となる。
【００１２】
ハンドル１４は、蓋体１３に一体に取り付けられている。前車輪１５は、下ケース１２の下部に回転自在に設けられている。後車輪１６は、本体１０の左右両側面にそれぞれ位置しており、下ケース１２に回転自在に取り付けられている。
リールボタン１７は、使用者が後述するコードリール２２を動作させるために直接操作する部位であり、本体１０の後部の下側に動作自在に設けられている。尚、リールボタン１７の構造や取り付け位置の詳細については、後述する。
【００１３】
次に、図２を参照すると、本体１０の正面には、被清掃面から吸取った塵埃を流下させるホース５０が、着脱自在に接続するホース接続開口１８が開口している。このホース接続開口１８は、被清掃面から吸込んだ塵埃を含む空気を本体１０の内部に取り込む開口である。
次に、本体１０の内部の前側には、内部に塵埃を溜める集塵部１９が着脱自在に取り付けられている。
尚、集塵部１９の上部には、上記の蓋体１３が設けられている。蓋体１３は、集塵部１９が本体１０に取り付けられた状態において、集塵部１９と集塵部１９の取り付け位置を閉じるように構成されている。
【００１４】
次に、図３〜図５を参照すると、本体１０の内部の後側の空間には、右側に寄って電動送風機２０が設けられ、左側に寄って電源コード２１を収納するコードリール２２が設けられている。
電動送風機２０は、外部から電力を得て駆動し、本体１０の外部から内部へと吸引力を生じさせるためのものである。電源コード２１は、商用電源に接続することで、電動送風機２０や各種電気部品に電力を供給するためのものである。
【００１５】
また、コードリール２２は、電源コード２１を巻き取ることで、本体１０の内部に電源コード２１を収納する為のものである。
この様なコードリール２２は、電源コード２１が取り付けられ電源コード２１を巻き取る芯となるリール部２２ａと、リール部２２ａが回転自在に取り付けられ本体１０への取り付け台となるリール支持台２２ｂと、リール部２２ａと接続されリール部２２ａから電源コード２１を引き出す時のリール部２２ａの回転によりバネが巻かれるゼンマイ部２２ｃ（図示せず）と、ゼンマイ部２２ｃのバネの復元力により回転しようとするリール部２２ａの回転を停止させるストッパー２２ｄ（図示せず）と、ストッパー２２ｄを解除してゼンマイ部２２ｃの力によりリール部２２ａを回転可能にする解除部（解除レバー）２２ｅから構成されている。
【００１６】
このようにコードリール２２が構成されているので、コードリール２２から電源コード２１を任意の長さ引き出しても、ストッパー２２ｄによりゼンマイ部２２ｃの復元力によるリール部２２ａの回転を停止する。つまり、コードリール２２から電源コード２１を任意の長さ引き出した状態で保持可能となっている。
また、上記の状態において、コードリール２２を動作させるには、解除部２２ｅを動作させることにより、ストッパー２２ｄを解除することができるので、ゼンマイ部２２ｃのバネの復元力でリール部２２ａを回転動作させ、自動的にリール部２２ａが電源コード２１を巻き取ることができる。
【００１７】
次に、本体１０の後部には、コードリール２２から引き出された電源コード２１が出入りするコード開口２３と、本体１０の内部から空気を排出する排気口２４が開口する。
コード開口２３は、コードリール２２の後方であって、本体１０の後面の左上の位置に開口している。
また、排気口２４は、電動送風機２０から排出され本体１０と電動送風機２０により形成される流路を流下した空気が排出される第１の排気口２４ａと、コードリール２２を経由して電源コード２１を冷却した空気が本体外部へと排出される第２の排気口２４ｂから構成される。
【００１８】
第１の排気口２４ａは、電動送風機２０の後方であって、コード開口２３の右側の領域に形成されている。第２の排気口２４ｂは、コードリール２２の後方であって、コード開口２３の真下に形成されている。
これらの排気口２４は、上ケース１１に形成されており、被清掃面から離れた所定の高さとなるように位置している。
【００１９】
以上のように各部が構成された電気掃除機は、次のように動作して被清掃面から塵埃を吸引して、集塵部に塵埃を溜める。
まず、電動送風機２０を動作させることにより、本体１０の内部へと向かう吸引力が生じる。この吸引力によりホース接続開口１８から本体１０の内部に取り込まれた塵埃を含んだ空気は、集塵部１９へと至り、空気と塵埃が分離される。そして、塵埃は集塵部１９の内部に貯留され、空気は集塵部１９の後方へと流下する。
集塵部１９の後方へと流下した空気は、電動送風機２０を経て、排気口２４から本体１０の外部へと排出される。
【００２０】
次に、図１〜図７に加え、図８〜図９を参照して、コードリール２２を動作させる連動機構について説明する。
図６は、図４（ｂ）のＺ−Ｚ断面図である。図７は、図６の断面図において、リールボタン１７が操作された状態を示す断面図である。図８は、図６の断面図において、リールボタン１７が下方向から押された状態を示す断面図である。
【００２１】
まず、使用者がコードリール２２を動作させるために操作する部位であるリールボタン１７の構造について説明する。
リールボタン１７は、使用者がコードリール２２を動作させて、電源コード２１をコードリール２２に収納させる収納指示を行うために直接操作する部位である。
【００２２】
このようなリールボタン１７は、樹脂により形成された左右方向に所定の幅がある板状の基体１７ａからなる。所定の幅とは、作業者が手及び足で操作可能な程度の大きさである。
次に、基体１７ａの上面は、後端１７ｃから前方へ所定の幅の平面に構成することで、使用者が直接触れて操作する操作部１７ｅが形成されている。
この操作部１７ｅには、電源コードなどのマーク１７ｋを表示することで、コードリールの巻取りを行う操作部である旨を示してある。この表示の部位を凹部又は凸部に形成することで指により操作する部位を設けて、指にて押圧操作しやすく構成してもよい。
また、この凹部又は凸部を後述する爪部１７ｇに近い側の位置に設けられている。
【００２３】
次に、基体１７ａの操作部１７ｅから前方向の上面は、湾曲した形状である凹部１７ｆが形成されている。
また、基体１７ａの左側辺には、上方に向かって突出し、先端が後方を向くフック形状をなす爪部１７ｇが設けられている。また、基体１７ａの下面には、リブ１７ｊが形成されている。このリブ１７ｊは、爪部１７ｇの位置から離れた部位を基点に、放射状のリブとこの放射状のリブを繋ぐリブから構成されている（図１（ｃ））。
また、基体１７ａの下面であって後端側には、フェルトなどの軟質部材１７ｉが設けられている。
【００２４】
次に、基体１７ａの前側の左右側面からそれぞれ左右方向に突出する軸１７ｂが設けられている。この軸１７ｂを本体１０（下ケース１２）の下部に形成した軸受１２ａに軸支することにより、リールボタン１７は、本体１０に対して動作自在に設けられる。
また、軸１７ｂには、ヒンジバネ（ねじりバネ）２５が設けられている。このヒンジバネ２５は、バネの開口２５ａの内部に軸１７ｂが位置した状態で、載置されている。
【００２５】
そして、リールボタン１７が本体１０に取り付けられた状態において、ヒンジバネ２５の両端２５ｂ、２５ｃは、下ケース１２から下方へ突出するリブ１２ｂを前後方向から挟み込んでいる。
つまり、リールボタン１７と本体１０（下ケース１２）との間にはヒンジバネ２５が介在する構造となる。
【００２６】
このようにリールボタン１７を本体１０の後部下側に設けた状態において、リールボタン１７の後端１７ｃは後方を向いており、上面１７ｄと本体１０の下部との間には、所定の空隙が形成されている。
また、下面に設けられた軟質部材１７ｉは、本体１０を被清掃面に置いた場合、対向する位置となっている。
【００２７】
更に、ヒンジバネ２５の弾性力により、リールボタン１７は被清掃面に対して、所定の角度を保って位置する。この所定の角度とは、作業者が直接操作する操作部１７ｅが、水平又は前方に向かって傾斜する角度である。
更に、リールボタン１７の左右幅の中心は、電源コード２１が出入りするコード開口２３の左右幅の中心に対して、右側にずれている。つまり、リールボタン１７は、本体１０を後方から見て右寄りに設けられる。これは、左寄りに設けられたコード開口２３からなるべく距離を離すための構成である（図４参照）。
【００２８】
次に、リールボタン１７の動作により連動して、コードリール２２のストッパーを解除する解除部２２ｅを動作させる連動部３０について説明する。
連動部３０は、基体となるシャフト３１と、リールボタン１７の爪部１７ｇが係合する係合部３２と、連動部３０を所定の位置に保持するコイル形状の保持バネ３３と、連動部３０の動作範囲を規制する動作規制部３４と、コードリール２２の解除部２２ｅを動作させる動作レバー３５を備えている。
【００２９】
係合部３２は、シャフト３１の下端に設けられており、爪部１７ｇが入り込み係合する係合開口３２ａと、連動部３０が本体１０（下ケース１２）に取り付けられて上下動する再に取り付け位置と摺接する下摺動部３２ｂが形成されている。
尚、係合開口３２ａは、連動部３０が本体１０に取り付けられた状態において、前方に向かって開口する。また、下摺動部３２ｂの最大外径は、第２の開口１２ｅの開口径Ｒ２より小さく構成される。
【００３０】
次に、動作規制部３４は、係合部３２の上方の位置となるようにシャフト３１に設けられており、保持バネ３３を取り付ける筒部３４ａとシャフト３１の径方向に突出する円盤形状のフランジ部３４ｂから構成されている。
尚、筒部３４ａは、フランジ部３４ｂの下側に位置し、筒部３４ａの外周に保持バネ３３が嵌り込んで固定されている。また、保持バネ３３の長さは、筒部３４ａの縦方向の大きさより長く構成される。また、フランジ部３４ｂは、筒部３４ａの外周より外側に突出している。
従って、筒部３４ａに取り付けられた保持バネ３３は、フランジ部３４ｂに当接して、フランジ部３４ｂの下側に保持される。
【００３１】
ここで、保持バネ３３の直径Ｒ３は、下ケース１２に開口する第１の開口１２ｄの開口径Ｒ１と第２の開口１２ｅの開口径Ｒ２と、Ｒ１＞Ｒ３＞Ｒ２の大小関係となるように構成されている。
また、フランジ部３４ｂの直径（最大外径）Ｒ４は、開口する第１の開口１２ｄの開口径Ｒ１に対して、Ｒ４＞Ｒ１の関係になるように構成されている。
尚、Ｒ１，Ｒ２，Ｒ３が上記の関係となれば、各開口の形状は問わない。
【００３２】
次に、動作レバー３５は、動作規制部３４の上方の位置となるようにシャフト３１に設けられている。この動作レバー３５の形状は、連動部３０が本体１０に取り付けられた状態において、コードリール２２が位置する方向に突出する形状をなしている。
また、動作レバー３５の上方には、連動部３０が本体１０（上ケース１１）に取り付けられて上下動する際に、凹部１１ａの内部と摺接する上摺動部３５ｂが形成されている。
【００３３】
以上のように各部が構成された連動部３０は、次のように本体１０に取り付けられる。
まず、係合部３２が第２の開口１２ｅに挿入される。この状態において、保持バネ３３の直径Ｒ３は第２の開口１２ｅの開口径Ｒ２より大きく、第１の開口１２ｄの開口径Ｒ１より小さいので、保持バネ３３は、第２の開口１２ｅの開口縁１２ｆに当接した状態で、所定の部分が第１の開口１２ｄの内部に入り込んで配置されている。
【００３４】
つまり、動作規制部３４に設けられた保持バネ３３は、弾性力によりフランジ部３４ｂを第１の開口１２ｄの上方に位置させた状態で、下ケース１２に形成される開口縁１２ｆに連動部３０を支えている。
この様に連動部３０が本体１０に対して配置されている状態では、下摺動部３２ｂが第２の開口２１ｅの内部に上下に摺動自在に位置し、第２の開口１２ｅの下側に係合開口３２ａが位置する。
そして、係合開口３２ａには、前方からリールボタン１７の爪部１７ｇが入り込み、係合開口３２ａの開口内部の下側の面３２ｃと爪部１７ｇの下面１７ｈが接することで、係合開口３２ａと爪部１７ｇが係合している。
【００３５】
次に、上記のように連動部３０が下ケース１２に対して配置された状態において、動作レバー３５の上方に形成された上摺動部３５ｂは、本体１０（上ケース１１）に形成された凹部１１ａに入り込み、上下に摺動可能に保持されている。
この時、動作レバー３５は、コードリール２２のストッパー２２ｄを解除する解除部２２ｅである解除レバーに対して、所定の隙間を空けて上方に位置する。
【００３６】
以上のように構成することにより、使用者がリールボタン１７を操作や本体１０の状態に応じて、次のように各部が動作する。
（リールボタン１７に外部から力が作用していない状態）
図６〜図７を参照すると、リールボタン１７に対して、外部から力が作用していない状態の場合は、リールボタン１７は通常の位置に保持される。
【００３７】
つまり、リールボタン１７と本体１０（下ケース１２）との間に介在するヒンジバネ２５により、リールボタン１７の操作部１７ｅは被清掃面に対して、水平又は前方に向かって傾斜する角度で保持される。
この状態において、リールボタン１７の下部に設けられた軟質部材１７ｉは、被清掃面に対して、空隙を介して対向している。また、連動部３０に設けられた動作レバー３５とコードリール２２の解除部２２ｅは、動作レバー３５の下方に所定の空間を空けて解除部２２ｅが位置している。
【００３８】
（リールボタン１７が使用者に押圧された場合）
図８を参照すると、使用者によりリールボタン１７の操作部１７ｅを上から下方向に押圧することにより、リールボタン１７の本体１０への軸支位置を中心に、回転動作する（図中左回転）。この動作により、操作部１７ｅ及び爪部１７ｇは、下方向に動作する。
そして、連動部３０は、係合部３２で爪部１７ｇと係合しているので、爪部１７ｇの下方向への動作に伴い、下方向に動作する。
【００３９】
このとき、動作レバー３５も下方向に動作し、解除部２２ｅに上方より接触して、解除部（解除レバー）２２ｅを下方向に押し下げる。
これにより、解除部２２ｅが動作して、ストッパー２２ｄを解除して、ゼンマイ部２２ｃのバネの復元力によりリール部２２ａを回転可能として、リール部２２ａから引き出された電源コードを自動的に巻き取ることが可能となる。
【００４０】
尚、動作規制部３４のフランジ部の直径Ｒ４は、第１の開口１２ｄの開口径Ｒ１より大きく構成されているので、連動部３０が下方向に所定量移動すると、フランジ部３４ｂと第１の開口１２ｄの開口縁１２ｇが当接する。これにより、連動部３０の下方向の移動量が規制されている。
【００４１】
（リールボタン１７が下方より上方へ押し上げられた場合）
図９を参照すると、電気掃除機を使用中に本体１０の前方が持ち上がったり、障害物を乗り越えたりしたとき、リールボタン１７を下方から上方に押し上げることがある。この状態において、リールボタン１７の本体１０への軸支位置を中心に、回転動作（図中右回転）して、爪部１７ｇは前方に移動する。
【００４２】
係合部３２と爪部１７ｇは、前方に開口する係合開口３２ａに爪部１７ｇが前方から入り込むことにより、係合しているので、上記のように爪部１７ｇが移動することで、爪部１７ｇは係合開口３２ａから出て、係合部３２と爪部１７ｇとの係合が解除される。
つまり、リールボタン１７と連動部３０の係合が解除されて、リールボタン１７が本体側に移動可能に構成されている。
【００４３】
以上のようにリールボタン１７を本体１０の後部下側に設けることにより、作業者が足でもリールボタン１７を操作することが可能となり、腰を屈めたり膝を曲げたりなど、体を低くすることなく、リールボタン１７を操作することができる。
また、通常時に、リールボタン１７を被清掃面に対して水平又は前方に傾斜するように本体１０に設けることにより、作業者が立った状態でリールボタン１７の操作部１７ｅを確認しやすい構成とすることができる。
【００４４】
また、リールボタン１７が本体１０に設けられた状態において、リールボタン１７の左右幅の中心は、電源コード２１が出入りするコード開口２３の左右幅の中心に対して、右側にずれている。つまり、リールボタン１７は、本体１０を後方から見て右寄りに設けられる。これは、左寄りに設けられたコード開口２３から、リールボタン１７をなるべく距離を離すための構成である。
この様に構成されているので、リールボタン１７を操作して、電源コードを収納する際に、ゼンマイのバネ力により勢いよく収納される電源コードが、作業者に接触しにくい。
尚、コード開口２３とリールボタン１７の左右の位置関係は、上記と逆の構成となってもよい。
【００４５】
また、リールボタン１７が操作されていない状態において、コードリール２２の解除部２２ｅに対して、所定の間隔を空けてこの解除部２２ｅを動作させる動作レバー３５を設けたので、リールボタン１７の動作角度をより大きく取ることができ、リールボタン１７の操作感を向上させることができる。
このような構成は、手より力の入れ加減の難しい足で操作を行う本実施の形態のリールボタン１７において、大変有効である。
【００４６】
また、動作規制部３４のフランジ部の直径Ｒ４を、第１の開口１２ｄの開口径Ｒ１より大きく構成して、連動部３０が下方向に所定量移動すると、フランジ部３４ｂと第１の開口１２ｄの開口縁１２ｇが当接するように構成した。
これにより、連動部３０の下方向の移動量が規制することが可能となり、リールボタン１７が下方へ下がりすぎて被清掃面に接触したり、解除部２２ｅに対して動作レバー３５が強く接触したりすることを防止することができる。
このような構成は、手より力の入れ加減の難しい足で操作を行う本実施の形態のリールボタン１７において、大変有効である。
【００４７】
また、電気掃除機を使用中に本体１０の前方が持ち上がったり、障害物を乗り越えたりしてリールボタン１７を下方から上方に押し上げられても、係合部３２と爪部１７ｇの係合状態が解除して、リールボタン１７が本体側に移動可能、つまり、本体側に逃げる構成となっている。
これにより、リールボタン１７が被清掃面側から受ける衝撃を、連動部３０やコードリール２２へと伝わりにくい構造とすることができる。
【００４８】
また、リールボタン１７の下面には、フェルトなどの軟質部材１７ｉが設けられているので、本体１０の前方が持ち上がって被清掃面にリールボタン１７が接触しても、被清掃面を傷つけることがない。
また、リールボタン１７の下面には、爪部１７ｇの位置から離れた部位を基点に、放射状のリブとこの放射状のリブを繋ぐリブから構成されているので、爪部１７ｇから離れたリールボタン１７の部位を押しても、リールボタン１７が変形し難く構成されている。
【００４９】
また、上記の実施の形態に加え、リールボタン１７の本体１０への軸支位置は、後車輪１６と被清掃面とが接触する位置の上方となる位置に設けるとよい。このようにリールボタン１７を本体１０に軸支することにより、使用者がリールボタン１７を足により踏んで操作した場合、リールボタン１７を介して作用する力を後車輪が上方より受けることができる。
つまり、リールボタン１７を操作する際の力の作用方向と後車輪が力を受ける方向が、後車輪と被清掃面の接触位置から、鉛直方向に一致している。これにより、リールボタン１７を操作した際に、本体１０の転倒や動きを防止することができる。
【００５０】
また、リールボタン１７に、指により操作する部位を形成することにより、指での操作性を高めることができる。更に、リールボタン１７を指で操作する部位を明確にすることができるので、足で指により操作する部位を触れることを防止することができ、指により操作する部位を清潔に保ちやすい構造とすることができる。
【符号の説明】
【００５１】
１０  本体、１１  上ケース、１２  下ケース、１３  蓋、１４  ハンドル、
１５  前車輪、１６  後車輪、１７  リールボタン、１８  ホース接続開口、
１９  集塵部、２０  電動送風機、２１  電源コード、２２  コードリール、
２３  コード開口、２４  排気口、２５  ヒンジバネ、３０  連動部、３１  シャフト、
３２  係合部、３３  保持バネ、３４  動作規制部、３５  動作レバー、５０  ホース。
【図１】
0005678815.tif 000002
【図２】
0005678815.tif 000003
【図３】
0005678815.tif 000004
【図４】
0005678815.tif 000005
【図５】
0005678815.tif 000006
【図６】
0005678815.tif 000007
【図７】
0005678815.tif 000008
【図８】
0005678815.tif 000009
【図９】
0005678815.tif 000010